(57)【特許請求の範囲】
【請求項１】
電話回線に対して所定のメッセージを送出する留守番電話機において、
上記電話回線から到来する発信者情報を受信する受信手段と、
該受信手段によって受信された発信者情報に基づいて通話料金を求める通話料金算出手段と、
該通話料金算出手段によって求められた通話料金に基づいて上記メッセージの送出スピードを可変する制御手段とを設けたことを特徴とする留守番電話機。
【請求項２】
上記制御手段は、上記メッセージの送出スピードに基づいて上記メッセージの周波数特性を可変することを特徴とする請求項１に記載の留守番電話機。
【請求項３】
通話料金を入力する操作手段と、
該操作手段によって入力された通話料金を記憶する記憶手段とを設け、
上記制御手段は、上記記憶手段に記憶された通話料金と、上記通話料金算出手段によって求められた通話料金とに基づいて上記メッセージの送出スピードを可変することを特徴とする請求項１又は請求項２記載の留守番電話機。
【発明の詳細な説明】
【０００１】
【発明の属する技術分野】
本発明は、留守番電話機に関する。
【０００２】
【従来の技術】
従来より、留守番電話機においては、留守番モード時において電話回線から着信信号が到来したとき、電話回線を自動的に捕捉して予め登録された応答メッセージを送出し、その後電話回線から到来する相手側からの用件メッセージを録音するように構成されたものがあり、このような留守番電話機においては、外部装置においてこの留守番電話機に対して電話をかけ、自動応答されて応答メッセージが送出されている状態においてその接続された外部装置にてリモート操作を行うことによって留守番電話機に録音された用件メッセージを再生し、外部装置によってその再生された用件メッセージを聴取することができるように構成されたものがあった。
【０００３】
又、このような留守番電話機においては、応答メッセージ及び用件メッセージ等の所定のメッセージが送出されるスピードが一定であるため、同じメッセージを聞く場合であっても、相手側の電話機との距離が遠くなるに従って通話料金が高くなるといった問題点があり、そのため、特開平５−１９９２９４号公報に示されるように、外部装置におけるリモート操作によって留守番電話機に録音された用件メッセージを再生させている状態において再度外部装置によって所定のリモート操作を行うことによって用件メッセージの再生スピードを切り換えるようにしたり、更に留守番モード時において電話回線から着信信号が到来したとき、電話回線を自動的に捕捉して送出する予め登録された応答メッセージの再生スピードを予め速くしておくものが提案されていた。
【０００４】
【発明が解決しようとする課題】
ところが、上記従来装置では、留守番電話機に録音された用件メッセージの聴取、及び応答メッセージの聴取にかかる通話時間を短くして通話料金を低減させることができるものの、用件メッセージの再生スピードを切り換えるために必要なリモート操作を使用者が覚えなくてはならず、複雑な操作を要するといった問題点があり、又予め登録された応答メッセージについては、その応答メッセージの再生スピードが常に速いため、相手側の電話機との距離が近く、比較的通話料金を気にすることのない場合においてもメッセージが聞き取りにくくなり、相手に不快感を与えるといった問題点があった。
【０００５】
本発明は、繁雑な操作を要することなく、メッセージ聴取時の通話料金を抑えることができる留守番電話機を提供することを目的とするものである。
【０００６】
【課題を解決するための手段】
上記目的を達成するために、請求項１記載の発明は、電話回線に対して所定のメッセージを送出する留守番電話機において、上記電話回線から到来する発信者情報を受信する受信手段と、該受信手段によって受信された発信者情報に基づいて通話料金を求める通話料金算出手段と、該通話料金算出手段によって求められた通話料金に基づいて上記メッセージの送出スピードを可変する制御手段とを設けたものである。
【０００７】
上記構成の留守番電話機において、上記制御手段が、上記メッセージの送出スピードに基づいて上記メッセージの周波数特性を可変する構成とするとよい。
【０００８】
上記構成の留守番電話機において、通話料金を入力する操作手段と、該操作手段によって入力された通話料金を記憶する記憶手段とを設け、上記制御手段が、上記記憶手段に記憶された通話料金と、上記通話料金算出手段によって求められた通話料金とに基づいて上記メッセージの送出スピードを可変する構成とするとよい。
【０００９】
従って、本願発明の留守番電話機によれば、受信手段によって電話回線から到来する発信者情報が受信されると、通話料金算出手段がその受信された発信者情報に基づいて通話料金を求め、制御手段がその求められた通話料金に基づいてメッセージの送出スピードを可変することにより、相手側の電話機において繁雑な操作を要することなく、メッセージ聴取時の時間を適切に設定して通話料金を適切な値段に抑えることができる。
また、操作手段によって通話料金が入力されると、記憶手段がその入力された通話料金を記憶し、操作手段によって入力された通話料金が記憶手段に記憶されている。そして、受信手段によって電話回線から到来する発信者情報が受信されると、通話料金算出手段がその受信された発信者情報に基づいて通話料金を求め、制御手段がその求められた通話料金と記憶手段に記憶された通話料金とに基づいてメッセージの送出スピードを可変することにより、相手側の電話機において繁雑な操作を要することなく、メッセージ聴取時の時間を適切に設定して通話料金を適切な値段に抑えることができると共に、その通話料金を任意に変更することができる。
【００１０】
また、受信手段によって電話回線から到来する発信者情報が受信されると、通話料金算出手段がその受信された発信者情報に基づいて通話料金を求め、制御手段がその求められた通話料金に基づいてメッセージの送出スピードを可変すると共に、その送出スピードに基づいてメッセージの周波数特性を可変することにより、相手側の電話機において繁雑な操作を要することなく、メッセージ聴取時の時間を適切に設定して通話料金を適切な値段に抑えることができると共に、そのメッセージを聞き取り易くすることができる。
【００１２】
【発明の実施の形態】
以下、本発明の実施の形態について図面を参照して詳細に説明する。
【００１３】
図１は本発明の一実施例である留守番電話機の電気的構成を示す概略機能ブロック図、図２及び図３は同留守番電話機における留守応答時の動作制御を示すフローチャートである。
【００１４】
図１において、１は図示しない交換機を介して相手側電話機と接続される電話回線、２は電話回線１の捕捉／開放制御を行うと共に、捕捉した電話回線１を介して相手側電話機との通話経路を形成する回線インターフェース、３は回線インターフェース２によって形成された通話経路を用いて相手側電話機との通話を行うハンドセットである。
【００１５】
４は電話回線１から到来する着信信号及び極性反転信号を検出する着信検出部、５は着信検出部４による着信検出に応答して外部に着信を放音するスピーカ、６は回線インターフェース２によって形成された通話経路を用いて相手側電話機から送出された用件メッセージを録音すると共に、予め登録された応答メッセージ、及び録音された用件メッセージを再生する録音再生部、７は録音再生部６によって再生される応答メッセージ及び用件メッセージの再生スピード、及び送出メッセージの周波数特性を制御する録音／再生制御部である。
【００１６】
８は電話回線１から到来する発信者情報を受信する発信者情報受信部、９は発信者情報受信部８によって受信された発信者情報に基づいて通話料金を算出する通話料金算出部、１０は留守番モードの設定、通話料金設定モードの設定、及び相手側電話番号及び通話料金の入力を行う操作入力部、１１は操作入力部１０によって入力された通話料金を記憶する記憶部である。
【００１７】
１２は着信検出部４からの着信／極性反転検出、通話料金算出部９によって算出された通話料金データ、操作入力部１０による操作指示、及び記憶部１１に記憶された通話料金データに基づいて回線インターフェース２による捕捉／開放制御、録音再生部６による録音再生制御、録音／再生制御部７による再生スピード／周波数特性制御、及び通話料金算出部９によって算出された通話料金と記憶部１１に記憶された通話料金との比較を行う主制御部である。
【００１８】
上記のように構成された留守番電話機における留守応答動作について、図２及び図３に示すフローチャートに基づいて説明する。
【００１９】
使用者が操作入力部１０を操作して通話料金設定モードへの移行を指示し、通話料金を入力すると、主制御部１２が操作入力部１０によって入力された通話料金を記憶部１１に記憶し、又このように、記憶部１１に使用者によって設定した通話料金が記憶されている状態において、使用者が操作入力部１０を操作して留守番モードへの移行を指示すると、主制御部１２が留守番モードに移行する。
【００２０】
そして、留守番モードが設定された状態において、電話回線１より極性反転信号が到来し、その極性反転信号が着信検出部４によって検出される（ステップＦ１）と、主制御部１２が回線インターフェース２を制御して電話回線１を捕捉させる（ステップＦ２）。
【００２１】
そして、回線インターフェース２によって電話回線１が捕捉されると、図示しない交換機より発信者情報が電話回線１を介して送出され、この発信者情報は発信者情報受信部８によって受信される（ステップＦ３）。
【００２２】
そして、発信者情報受信部８による電話回線１から到来する発信者情報の受信が終了する（ステップＦ４）と、主制御部１２が回線インターフェース２を制御して電話回線１を開放させる（ステップＦ５）と共に、通話料金算出部９を制御して発信者情報受信部８によって受信された発信者情報に基づいて相手側との１分間の通話に要する通話料金を算出させる（ステップＦ６）。
【００２３】
そして、主制御部１２では通話料金算出部９によって算出された通話料金と、記憶部１１に記憶された通話料金とを比較し（ステップＦ７）、通話料金算出部９によって算出された通話料金が記憶部１１に記憶された通話料金より高いと判断されたとき、録音／再生制御部７を制御して録音再生部６によって再生される応答メッセージ及び用件メッセージの再生スピードを速くする（ステップＦ８）と共に、録音再生部６によって再生される応答メッセージ及び用件メッセージの周波数特性を設定する（ステップＦ９）。
【００２４】
そして、電話回線１より着信信号が到来し、その着信信号が着信検出部４によって検出されたとき（ステップＦ１０）、主制御部１２がスピーカ５を駆動して着信音を外部に放音する（ステップＦ１１）一方、着信検出部４によって着信信号が所定回数（又は所定時間）以上検出されたとき（ステップＦ１２）、主制御部１２が回線インターフェース２を制御して電話回線１を捕捉させる（ステップＦ１３）と共に、録音再生部６を制御して予め登録された応答メッセージを送出する（ステップＦ１４）。
【００２５】
そして、応答メッセージの送出が終了したとき（ステップＦ１５）、主制御部１２が録音再生部６を制御して電話回線１から到来する用件メッセージを録音させ（ステップＦ１６）、電話回線１より終話信号が到来したとき（ステップＦ１７）又は所定時間が経過したとき（ステップＦ１８）、主制御部１２が録音再生部６を制御して用件メッセージの録音を停止する（ステップＦ１９）と共に、回線インターフェース２を制御して電話回線１を開放させ（ステップＦ２０）、通話を終了する。
【００２６】
他方、応答メッセージの送出中（ステップＦ１４〜Ｆ１５）、相手側電話機においてリモート操作を行い、電話回線１を介してＤＴＭＦ信号等の信号が到来し、主制御部１２において電話回線１から到来する信号に基づいて指示された操作内容が録音された用件メッセージの再生指示である場合（ステップＦ２１）には、主制御部１２が録音再生部６を制御して録音された用件メッセージを再生させ（ステップＦ２２）、この用件メッセージの再生が終了したとき（ステップＦ２３）、主制御部１２が回線インターフェース２を制御して電話回線１を開放させ（ステップＦ２４）、通話を終了する。
【００２７】
従って、上記動作制御によれば、使用者によって設定した１分間の通話にかかる通話料金に基づいてメッセージの送出スピードを可変できるため、例えば基準の通話料金として「２０円」が設定されている状態において、電話回線１から到来する発信者情報に基づいて算出された１分間の通話にかかる通話料金が「２０円」以下である場合、相手側電話機に送出される応答メッセージ及びリモート操作に基づいて送出される用件メッセージを通常の速度で送出するため、安い通話料金でメッセージの聴取を容易に行わせることができ、又電話回線１から到来する発信者情報に基づいて算出された１分間の通話にかかる通話料金が「２０円」を越える場合、相手側電話機に送出される応答メッセージ及びリモート操作に基づいて送出される用件メッセージが速い速度で送出し、且つ該送出メッセージの周波数特性を可変するため、速くなったメッセージについても比較的聞き取り易くすることができると共に、通話料金を安く抑えることができる。
【００２８】
尚、上記実施例においては、１分間の通話にかかる通話料金に基づいてメッセージの送出スピードを可変するようにしたが、これに限定されるものではなく、例えば、使用者によって設定された通話料金によって通話できる時間を求め、その時間内に予め登録された応答メッセージ、又は録音された用件メッセージが再生できるように送出スピードを可変するようにしても良く、このとき、メッセージの送出スピードが所定値を越えないように制御すると良い。
【００２９】
【発明の効果】
以上のように、本願発明の留守番電話機によれば、相手側の電話機との距離に基づいて算出された通話料金に基づいてメッセージの送出スピードを可変することにより、相手側の電話機において繁雑な操作を要することなく、メッセージ聴取時の時間を適切に設定して通話料金を適切な値段に抑えることができるため、相手側の電話機との距離が近く、比較的通話料金を気にすることのない場合においてメッセージの聞き取り易さを重視して相手に不快感を与えるといたことを防止でき、又相手側の電話機との距離が遠い場合において通話料金の抑制を重視して通話料金を抑えることできる。
【００３０】
また、メッセージの送出スピードに基づいてそのメッセージの周波数特性を調整することにより、速いスピードで送出されるメッセージについても比較的聞き取り易くすることができる。
【００３１】
さらに、メッセージの送出スピードを可変する基準となる通話料金を使用者において任意に設定することができるため、メッセージの聴取に要する通話料金を任意に調整することができる。
【図面の簡単な説明】
【図１】本発明の一実施例である留守番電話機の電気的構成を示す概略機能ブロック図。
【図２】同留守番電話機における留守応答時の動作制御を示すフローチャート。
【図３】同留守番電話機における留守応答時の動作制御を示すフローチャート。
【符号の説明】
１    電話回線
２    回線インターフェース
３    ハンドセット
４    着信検出部
５    スピーカ
６    録音再生部
７    録音／再生制御部
８    発信者情報受信部
９    通話料金算出部
１０    操作入力部
１１    記憶部
１２    主制御部
【図１】
0003722552.tif 000002
【図２】
0003722552.tif 000003
【図３】
0003722552.tif 000004